(57)【要約】【課題】背上げフレームを挙上する際に看護師が場所を移動せずに背上げ角度を確認することのできるベッド背上げ角度表示装置を提供する。【解決手段】ベッド背上げ角度表示装置１０は、水平方向に延びるメインフレーム３と、メインフレーム３に回動可能に設けられた背上げフレーム４とを備えたベッド１に取り付けられ、メインフレーム３に対する背上げフレームの角度を表示する装置であって、角度を計測する計測手段２０と、計測手段２０と独立して設けられ計測手段２０と無線または有線を介して接続され、計測手段２０が計測した角度を表示する表示手段３０とを備えている。【選択図】図１
2015136579.tif 000002
【特許請求の範囲】
【請求項１】
水平方向に延びるメインフレームと、前記メインフレームに回動可能に設けられた背上げフレームとを備えたベッドに取り付けられ、前記メインフレームに対する前記背上げフレームの角度を表示する装置であって、
前記角度を計測する計測手段と、
前記計測手段と独立して設けられ、前記計測手段と無線または有線を介して接続され、前記計測手段が計測した前記角度を表示する表示手段と、
を備えたベッド背上げ角度表示装置。
【請求項２】
前記計測手段は、検出軸方向の加速度と重力加速度を用いて、水平方向に対して検出軸方向の傾斜する角度を求める加速度センサを備え、
前記加速度センサは、前記検出軸が前記背上げフレームの面と平行となるよう取り付けられ、前記メインフレームに対する前記背上げフレームの角度を計測する請求項１に記載のベッド背上げ角度表示装置。
【請求項３】
請求項１または２に記載のベッド背上げ角度表示装置が取り付けられたベッドであって、
前記ベッドは、水平に延びるメインフレームと、前記メインフレームに回動可能に設けられた背上げフレームと、前記背上げフレームを回動させる操作部とを備え、
前記背上げフレームは、前記メインフレームの長手方向の一方側に設けられ、
前記操作部および前記表示手段は、前記メインフレームの長手方向の他方側端部に設けられるベッド。
【請求項４】
前記メインフレームの長手方向の他方側端部から上方向に立設し、前記メインフレームの幅略全体に延びるフレームを備え、
前記表示手段は、磁石、テープ、接着剤、ねじのいずれかにより前記フレームに取り付けられる請求項３に記載のベッド。
【請求項５】
請求項１または２に記載のベッド背上げ角度表示装置を複数備えたベッド背上げ角度監視システムにおいて、
各前記ベッド背上げ角度表示装置と有線または無線により接続されるサーバを備え、
各前記ベッド背上げ角度表示装置は、前記角度と、各前記ベッド背上げ角度表示装置の識別情報とを前記サーバに送信し、
前記サーバは、前記角度と、各前記ベッド背上げ角度表示装置の識別情報とを受信し、前記角度と前記識別情報とを対応付けて記憶するベッド背上げ角度監視システム。
【発明の詳細な説明】
【技術分野】
【０００１】
本発明は、ベッドのメインフレームに対して回動可能に設けられた背上げフレームの背上げ角度を表示するベッド背上げ角度表示装置に関するものである。
【背景技術】
【０００２】
病院のベッドにおいては、患者の上半身を起こすためにいわゆる起床式のベッドが用いられている。起床式のベッドは、ベッドフレーム上に背上げフレームおよび足側フレームが設けられており、患者は、上半身が背上げフレーム上に位置するように、背上げフレームおよび足側フレーム上にマットレスを介して仰臥する。看護師は、ベッドの長手方向の足側に設けられたハンドルを回して背上げフレームを挙上し、患者の上半身を起こす。
このようなベッドフレームに対する背上げフレームの角度（背上げ角度）の設定は、特に整形外科の脊椎関係の手術後や、交通事故や脳内出血の症状により絶対安静が必要な患者に対しては、正確に行われる必要がある。このため、看護師は角度計を用いて背上げ角度の測定を行っている。
【０００３】
例えば、特許文献１の角度計は、第一アーム部と第二アーム部が支軸を中心に相対回転可能に支持されており、支軸には第一アーム部と第二アーム部の相対角度を示す角度表示器が設けられている。一方のアーム部をベッドフレームに沿わせ、他方のアーム部を背上げフレームに沿わせることで、背上げ角度の測定を行っている。
また、ギャッジアップ用角度計（例えば、ナビス、GAM-TK 0-1635-01など）も背上げ角度の測定に用いられる。この角度計は、半円状の角度表示器と、角度表示器内を自在に移動するボール（鋼球）とを備え、背上げフレームに取り付けてボールにより背上げ角度を表示するものである。
【先行技術文献】
【特許文献】
【０００４】
【特許文献１】特許第４７１４７９９号公報
【発明の概要】
【発明が解決しようとする課題】
【０００５】
上記の角度計を用いる場合、背上げ角度はベッドの横側で測定されるが、背上げフレームを挙上させるためのハンドルは、ベッドの長手方向の足側にある場合が多い。このため、看護師は、ハンドルを操作して背上げフレームを挙上しているときには背上げ角度を確認することができず、わざわざハンドルから離れてベッドの横側に行き、背上げ角度を測定しなくてはならない。このように、背上げ角度を正確に設定するためには、ベッドの横側と長手方向の足側を何度も往復しなければならず、不便であるという問題があった。
特に、経験の少ない看護師や看護学生が背上げ角度を設定する場合には、ベッドの横側と長手方向の足側との往復の回数が多くなり、背上げ角度の設定に時間がかかるという問題があった。
【０００６】
本発明は、上記した課題に着目してなされたものであり、背上げフレームを挙上する際に看護師が場所を移動せずに背上げ角度を確認することのできるベッド背上げ角度表示装置を提供することを目的とする。
【課題を解決するための手段】
【０００７】
本発明の第１の観点に係る装置は、水平方向に延びるメインフレームと、前記メインフレームに回動可能に設けられた背上げフレームとを備えたベッドに取り付けられ、前記メインフレームに対する前記背上げフレームの角度を表示する装置であって、前記角度を計測する計測手段と、前記計測手段と独立して設けられ、前記計測手段と無線または有線を介して接続され、前記計測手段が計測した前記角度を表示する表示手段と、を備えたベッド背上げ角度表示装置である。
【０００８】
前記構成によれば、メインフレームに対する背上げフレームの角度（背上げ角度）を計測する計測手段と、該背上げ角度を表示する表示手段が独立して設けられているので、背上げフレームを回動させて挙上する際に、表示手段を看護師から見やすい任意の位置に配置することができる。このため、看護師は、場所を移動せずに背上げ角度を確認することができ、作業効率を向上させることができる。
また、作業効率が向上し、背上げフレームの設定に必要とする時間が短縮されるため、空いた時間を他の業務に活用することができる。
【０００９】
前記計測手段は、検出軸方向の加速度と重力加速度を用いて、水平方向に対して検出軸方向の傾斜する角度を求める加速度センサを備え、前記加速度センサは、前記検出軸が前記背上げフレームの面と平行となるよう取り付けられ、前記メインフレームに対する前記背上げフレームの角度を計測することが好ましい。
【００１０】
本発明の第２の観点にかかるベッドは、前記ベッド背上げ角度表示装置が取り付けられたベッドであって、前記ベッドは、水平に延びるメインフレームと、前記メインフレームに回動可能に設けられた背上げフレームと、前記背上げフレームを回動させる操作部とを備え、前記背上げフレームは、前記メインフレームの長手方向の一方側に設けられ、前記操作部および前記表示手段は、前記メインフレームの長手方向の他方側端部に設けられるベッドであることを特徴としている。
【００１１】
前記構成によれば、ベッドには、背上げフレームを回動させる操作部と、背上げ角度を表示する表示手段とが、メインフレームの長手方向の他方側端部に設けられているため、看護師は、場所を移動せずに背上げ角度を確認することができ、作業効率を向上させることができる。
【００１２】
また前記構成に加え、前記ベッドは、前記メインフレームの長手方向の他方側端部から上方向に立設し、前記メインフレームの幅略全体に延びるフレームを備え、
前記表示手段は、磁石、テープ、接着剤、ねじのいずれかにより前記フレームに取り付けられることが好ましい。
メインフレームの幅略全体に延びるフレームを金属により形成した場合には、表示手段を磁石により金属フレームの任意の位置に取り付けることができるため、看護師は、操作部の位置に応じて表示手段を見やすい位置に取り付けて背上げ角度を確認することができる。
また、表示手段は、テープ、接着剤、ねじなどによって、メインフレームの幅略全体に延びるフレームに簡単に取り付けることができる。
【００１３】
本発明の第３の観点にかかるシステムは、前記ベッド背上げ角度表示装置を複数備えたベッド背上げ角度監視システムにおいて、各前記ベッド背上げ角度表示装置と有線または無線により接続されるサーバを備え、各前記ベッド背上げ角度表示装置は、前記角度と、各前記ベッド背上げ角度表示装置の識別情報とを前記サーバに送信し、前記サーバは、前記角度と、各前記ベッド背上げ角度表示装置の識別情報とを受信し、前記角度と前記識別情報とを対応付けて記憶するベッド背上げ角度監視システムであることを特徴としている。
【００１４】
前記構成によれば、サーバは複数のベッド背上げ角度表示装置から角度とベッドの識別情報を受信しているので、サーバにおいて複数のベッドの背上げ角度を一元管理することができる。
【発明の効果】
【００１５】
本発明に係るベッド背上げ角度表示装置によれば、メインフレームに対する背上げフレームの角度（背上げ角度）を計測する計測手段と、該背上げ角度を表示する表示手段とが独立して設けられているので、背上げフレームを回動させて挙上する際に、表示手段を看護師から見やすい任意の位置に配置することで、看護師は、場所を移動せずに背上げ角度を確認することができ、作業効率を向上させることができる。
【図面の簡単な説明】
【００１６】
【図１】本発明の一実施形態に係るベッド背上げ角度表示装置をベッドに取り付けた斜視図である。
【図２】計測手段の内部平面図である。
【図３】表示手段の分解斜視図である。
【図４】ハウジングを（ａ）側面から見た図、（ｂ）上面から見た図、（ｃ）底面から見た図である。
【図５】基盤の（ａ）上面図、（ｂ）下面図である。
【図６】本実施形態の変形例であり、（ａ）はベッドにベッド背上げ角度表示装置を埋め込んだ例、（ｂ）は要部拡大図である。
【図７】本発明の第２実施形態に係るベッド背上げ角度監視システムである。
【図８】表示手段の基盤の下面図である。
【図９】表示手段の機能説明図である。
【図１０】サーバの構成図である。
【図１１】サーバの機能説明図である。
【図１２】メモリに記憶されるテーブルの例である。
【図１３】ベッド背上げ角度監視システムの動作を示すフローチャートである。
【図１４】背上げ角度表示装置とサーバの接続の他の例である。
【図１５】無線親機の斜視図である。
【発明を実施するための形態】
【００１７】
以下、本発明の実施形態について、添付図面を参照しながら説明する。図１はベッド背上げ角度表示装置１０が取り付けられたベッド１の斜視図である。
ベッド１は、下面の４隅にキャスター２ａが取り付けられた基部２の上面に、水平方向に伸びる矩形枠状のメインフレーム３が連結されている。
【００１８】
メインフレーム３の長手方向の一方側（以下、頭側）には、背上げフレーム４が取り付けられている。背上げフレーム４はメインフレーム３の長手方向の中央付近にある軸を中心として回動可能となっている。
メインフレーム３の長手方向の他方側（以下、足側）には、足側フレーム５が取り付けられている。
本実施形態では、メインフレーム３、背上げフレーム４、足側フレーム５は金属で作製されているが、木製であってもよい。
ベッド１の使用時には、背上げフレーム４、足側フレーム５上に樹脂製の柔軟なプレートが取り付けられており、その上にマットレス６が載置される。患者は、マットレスを介して、上半身が背上げフレーム４上に位置し、下半身が足側フレーム５上に位置するように仰臥する。
【００１９】
メインフレーム３の足側の端部には、背上げフレーム４を回動させる操作部であるハンドル７が取り付けられている。ハンドル７によって、回動軸などの図示しない背上げ機構が駆動し、背上げフレーム４が回動される。
また、金属フレーム８は、金属から形成され、メインフレーム３の足側の端部から上方向に立設されており、メインフレーム３の幅略全体に延びている。ベッド１の使用時には、金属フレーム８に樹脂製のプレート（図示せず）が取り付けられている。
なお、金属フレーム８に代えて、木製や樹脂製のフレームを用いても良い。
【００２０】
ベッド背上げ角度表示装置１０は、ベッド１に取り付けられ、メインフレーム３に対する背上げフレーム４の角度(背上げ角度)αを表示する装置である。ベッド背上げ角度表示装置１０は、背上げ角度αを計測する計測手段２０と、計測手段２０と独立して設けられ、計測手段２０とケーブル（有線）２６を介して接続され、計測手段２０が計測した背上げ角度αを表示する表示手段３０とを備えている。
【００２１】
計測手段２０は、ベッド１の背上げフレーム４とマットレス６の間に配置されている。
表示手段３０は、金属フレーム８に取り付けられている。表示手段３０は内部に磁石３４（図３）を備えており、磁石３４によって金属フレーム８の任意の位置に取り付け可能である。図１の例では、表示手段３０はハンドル７の上方の位置に取り付けられている。
なお、表示手段３０は両面テープ、接着剤、ねじなどで金属フレーム８に取り付けてもよい。
【００２２】
ケーブル２６は、ベッド１の使用に支障をきたさないように、背上げフレーム４とマットレス６の間、及び足側フレーム５とマットレス６の間に配置され、金属フレーム８に張られたプレートに沿って固定されている。
なお、計測手段２０と表示手段３０は無線により接続されていてもよい。
【００２３】
図２は、計測手段２０の内部平面図である。
計測手段２０は、直方体のハウジング２１に、基盤２２と、計測手段２０を背上げフレーム４に固定するための磁石２３とを収容している。基盤２２と磁石２３とはハウジング２１の内壁に両面テープで固定されている。
なお、計測手段２０は磁石２３を備えず、テープで計測手段２０を背上げフレーム４に固定してもよい。
【００２４】
基盤２２には、背上げ角度αを計測するための角度センサ２４と、角度センサ２４に接続され電力を角度センサ２４に供給する電源回路２５を設けている。電源回路２５及び角度センサ２４には表示手段３０と接続するケーブル２６が接続されている。角度センサ２４で計測した背上げ角度αはケーブル２６を介して電圧として表示手段３０に送られるとともに、表示手段３０内に設けられた電池３３（後述）からの電力はケーブル２６を介して電源回路２５に供給される。
【００２５】
角度センサ２４として、本実施形態では半導体式の一軸加速度センサを用いている。一軸加速度センサは、検出軸方向の加速度と重力加速度を用いて、水平方向に対して検出軸方向の傾斜する角度を求めるものである。本実施形態では、一軸加速度センサは、検出軸が背上げフレーム４の面と平行となるよう取り付けられており、水平方向に延びるメインフレームに対する背上げフレーム４の角度αを計測している。
なお、加速度センサは検出軸方向の加速度を電圧として出力し、後述する表示手段３０のＣＰＵ３２ｃで該電圧に基づき背上げ角度αを求めてもよい。
【００２６】
表示手段３０は、図３〜図５に示すように、蓋部３１ａと本体部３１ｂとからなるハウジング３１を備えている。ハウジング３１の本体部３１ｂには、基盤３２と、基盤３２と接続された電池３３と、磁石３４とが収容されている。図３において、本体部３１ｂの底面には支持棒３２ａがねじ止めされており、基盤３２は支持棒３２ａに支持されている。磁石３４と電池３３は、基盤３２と本体部３１ｂの底面との間の空間に収容されている。
【００２７】
図３、図４（ａ）に示すように、ハウジング３１の蓋部３１ａには開口部３１ｃが設けられており、蓋部３１ａを本体部３１ｂに嵌め合わせたときに、蓋部３１ａの開口部に基盤３２の上面に設けたディスプレイ３２ｂ（後述）が嵌め込まれるようになっている。
また、図３、図４（ｂ）に示すように、ハウジング３１の本体部３１ｂの上縁に設けた開口部３１ｄからは基盤３２の下面に設けた電源スイッチ３２ｇ（図５（ｂ））が突出している。さらに、図３、図４（ｃ）に示すように、本体部３１ｂの底面に形成した開口部３１ｅからは基盤３２の下面に設けた入出力ポート３２ｈ（図５（ｂ））が露出している。
【００２８】
図５（ａ）に示すように、基盤３２の上面には、2桁７セグメントのＬＥＤディスプレイ３２ｂに加え、ＣＰＵ３２ｃと、メモリ３２ｄと、電源回路３２ｅと、プログラム更新用ポート３２ｆとを設けている。また、図５（ｂ）に示すように、基盤３２の下面には、電源スイッチ３２ｇと、入出力ポート３２ｈと、電源ポート３２ｉを設けている。
【００２９】
ＣＰＵ３２ｃはディスプレイ３２ｂおよびメモリ３２ｄに接続されている。ＣＰＵ３２ｃは、メモリ３２ｄに記憶されているプログラムを実行することにより、計測手段２０から背上げ角度αに対応する電圧を取得し、該電圧に基づいた背上げ角度αをディスプレイ３２ｂに表示させている。
電源回路３２ｅは電源ポート３２ｉを介して電池３３に接続しているとともに、ディスプレイ３２ｂとＣＰＵ３２ｃに接続されており、電池３３の電力をディスプレイ３２ｂとＣＰＵ３２ｃに供給している。
【００３０】
プログラム更新用ポート３２ｆは、ＣＰＵ３２ｃおよびメモリ３２ｄと接続しており、メモリ３２ｄに記憶されたＣＰＵ３２ｃで使用されるプログラムを更新する際に用いられる。
電源スイッチ３２ｇは電源回路３２ｅに接続しており、電源回路３２ｅの入切を行っている。
入出力ポート３２ｈはケーブル２６が挿入されるポートであり、ＣＰＵ３２ｃと接続し角度センサ２４から出力される背上げ角度αに対応する電圧を受け取っている。また、電池３３と接続し、計測手段２０に電池３３の電力を送っている。
【００３１】
本実施形態のベッド背上げ角度表示装置１０を用いるには、看護師は、まず、ベッド背上げ角度表示装置１０の計測手段２０をマットレス６と背上げフレーム４の間に固定するとともに、表示手段３０をベッド１の長手方向の足側に設けられた金属フレーム８の上端などに磁石３４で固定する。
背上げフレーム４を挙上する際には、表示手段３０によって表示された背上げ角度αを確認しながら、ベッド１の長手方向の足側にあるハンドル７を用いて背上げフレーム４を回動させる。
【００３２】
前記構成によれば、メインフレーム３に対する背上げフレーム４の角度（背上げ角度α）を計測する計測手段２０と、該背上げ角度αを表示する表示手段３０が独立して設けられているので、背上げフレーム４を回動させて挙上する際に、表示手段３０を看護師から見やすい任意の位置に配置することができる。このため、看護師は、場所を移動せずに背上げ角度αを確認することができ、作業効率を向上させることができる。
また、作業効率が向上し、背上げフレームの設定に必要とする時間が短縮されるため、空いた時間を他の業務に活用することができる。
【００３３】
さらに、デジタルで背上げ角度αを計測および表示することで、アナログによる計測および表示に比べて背上げフレーム４の背上げ角度αを正確に設定することができる。
このように、背上げ角度αを正確に設定できるため、患者のリハビリテーションに繋がり病院に在院する日数を減少させることができる。
【００３４】
なお、ベッド背上げ角度表示装置１０は図６に示すように変形されてもよい。図６（ａ）はベッド１にベッド背上げ角度表示装置１０を埋め込んだ例、（ｂ）は要部拡大図である。背上げフレーム４およびメインフレーム３、金属フレーム８は筒状の枠で形成されており、背上げフレーム４の枠内に計測手段２０を配置し、金属フレーム８の枠内に表示手段３０を配置している。金属フレーム８の一部には開口部が設けられ、開口部にディスプレイ３２ｂが嵌めこまれている。また、電源スイッチ３２ｇも金属フレーム８の開口部に設けられている。
ケーブル２６は、背上げフレーム４の枠内とメインフレーム３の枠内と金属フレーム８の枠内とを通っている。
【００３５】
なお、金属フレーム８をメインフレーム３から取り外しが可能な構成とする場合には、ケーブル２６を、金属フレーム８を通るケーブルと背上げフレーム４及びメインフレーム３を通るケーブルとに分け、この２つのケーブル同士を接続コネクタで接続してもよい。この構成により、金属フレーム８をメインフレーム３から取り外すときに、ベッド背上げ角度表示装置１０の表示手段３０も接続コネクタにより簡単に取り外すことができる。
【００３６】
次に、第２実施形態にかかるベッド背上げ角度監視システム４０について図７〜図１５を用いて説明する。
ベッド背上げ角度監視システム４０は、ベッド背上げ角度表示装置１０を用いるものであって、ベッド背上げ角度表示装置１０及びベッド１の構成のうち、第１実施形態と同様の構成は同一符号を付して説明を省略する。
【００３７】
ベッド背上げ角度監視システム４０は、複数の上述のベッド背上げ角度表示装置１０とサーバ５０とを備えている。
図７の例では、ベッド背上げ角度表示装置１０は病室８毎に１つまたは複数配置され、本実施形態では３つの病室８にそれぞれ２つのベッド背上げ角度表示装置１０Ａ〜１０Ｆが配置されている。サーバ５０は例えばナースセンターに配置される。
各ベッド背上げ角度表示装置１０とサーバ５０は通信ネットワーク４１を介して接続されている。通信ネットワーク４１として、例えば、ＩＥＥＥ１３９４、ＵＳＢ（Universal Serial Bus）、ＬＡＮ（Local Area Network）、電力線通信（ＰＬＣ：Power Line Communications）、無線通信、光通信等を適用してもよい。なお、サーバ５０と各ベッド背上げ角度表示装置１０は有線で接続されていてもよい。
【００３８】
図８は各ベッド背上げ角度表示装置１０の表示手段３０の基盤３２の下面を示す。
表示手段３０は、基盤３２の下面に通信ネットワーク用の無線モジュール３５を備えている。無線モジュール３５は、通信ネットワークを介した通信を行うための通信装置などから構成され、通信ネットワーク４１を介してサーバ５０と通信する。
サーバ５０に送信される情報は、メインフレーム３に対する背上げフレーム４の角度αの情報（背上げ角度情報）と、各ベッド背上げ角度表示装置１０の識別情報とである。これに加え、背上げ角度αを取得した時刻の情報やその他の情報を送信してもよい。
【００３９】
表示手段３０のＣＰＵ３２ｃは、図９に示す角度情報取得手段３２１、表示指示手段３２２としての機能を実現する。角度情報取得手段３２１は、計測手段２０から背上げ角度αを示す情報を電圧として取得している。表示指示手段３２２は、背上げ角度αを示す情報に基づき背上げ角度αをディスプレイ３２ｂに表示させている。
【００４０】
図１０はサーバ５０の構成図である。サーバ５０は、パソコンやワークステーションなどの情報処理装置から構成され、通信モジュール５１、ＣＰＵ５２、メモリ５３、ディスプレイ５４を備えている。
通信モジュール５１は、通信ネットワーク４１を介した通信を行うための通信装置などから構成され、例えばルータ、モデムなどの通信装置である。通信モジュール５１は通信ネットワーク４１を介して表示手段３０と通信する。
ＣＰＵ５２は、ＲＡＭ等（図示せず）に記憶されているプログラムを実行することにより、サーバ５０の各部を制御するとともに、図１１に示す機能（後述）を実現する。
【００４１】
メモリ５３は、例えばハードディスク装置やフラッシュメモリなどの記憶装置から構成され、複数のベッド背上げ角度表示装置１０から送信された背上げ角度情報および識別情報を記憶する。図１２はメモリ５３に記憶されるテーブルＴの例である。図１２のテーブルＴには、ベッド背上げ角度表示装置１０Ａ〜１０Ｆの識別情報Ａ〜Ｆ毎に背上げ角度情報が記憶される。
なお、テーブルＴに、表示手段３０から背上げ角度情報を受信した時刻の情報を記憶してもよい。
ディスプレイ５４は、ＣＰＵ５２の処理結果などを表示する。
【００４２】
ＣＰＵ５２は図１１に示すような情報取得手段５２１、記憶手段５２２、表示指示手段５２３としての機能を実現する。
情報取得手段５２１は、ベッド背上げ角度表示装置１０から送信される背上げ角度情報および識別情報を通信モジュール５１を介して取得している。
記憶手段５２２は、通信モジュール５１を介して取得した情報をメモリ５３に記憶させる。
表示指示手段５２３は、背上げ角度情報および識別情報をディスプレイ５４に表示させる。
【００４３】
図１３はベッド背上げ角度監視システム４０の動作を示すフローチャートである。
ベッド背上げ角度表示装置１０の表示手段３０は、所定の時間間隔で計測手段２０から背上げ角度情報を取得する（Ｓ１０１）。表示手段３０は、背上げ角度情報を取得する度に、ベッド背上げ角度表示装置１０の識別情報とともに無線モジュール３５を介してサーバ５０に送信する（Ｓ１０２）。
なお、表示手段３０にメモリを備え、背上げ角度情報を表示手段３０に記憶し、メモリに記憶された複数の背上げ角度αに関する情報をまとめてサーバ５０に送信してもよい。
【００４４】
サーバ５０は背上げ角度情報及び背上げ角度表示装置の識別情報を受信し（Ｓ２０１）、図１２に示すテーブルＴとしてメモリ５３に記憶する（Ｓ２０２）。
サーバ５０に記憶された背上げ角度αに関する情報は、例えば、サーバ５０や他のパソコン等で動作する電子カルテに用いられてもよい。また、サーバ５０のＣＰＵ５２に判定手段を設け、判定手段に受信した背上げ角度情報と閾値を比較させ、ベッド１の背上げ角度αが閾値を超えた場合にディスプレイ５４に背上げ角度表示装置の識別情報と警告とを表示させてもよい。
【００４５】
本実施形態によれば、サーバ５０は複数のベッド背上げ角度表示装置１０から背上げ角度αとベッド１の識別情報を受信しているので、サーバ５０において複数のベッド１の背上げ角度αを一元管理することができる。
【００４６】
図１４は、ベッド背上げ角度表示装置１０とサーバ５０の接続の他の例である。複数の病室８にそれぞれ複数のベッド背上げ角度表示装置１０を配置しており、
各病室８のベッド背上げ角度表示装置１０は病室８毎に１つ設けられた無線親機４２と無線で接続している。各無線親機４２Ａ〜４２ＣはＨＵＢ４３(複数の通信ケーブルを集約する装置)を介して有線でサーバ５０と接続している。
無線親機４２は、図１５に示すように、無線親機のオン、オフの状態を示すライト４２ａと、通信状態を示すライト４２ｂとを備え、コード４２ｃによって家庭用コンセントに接続されている。
【００４７】
なお、無線親機４２とサーバ５０とは無線で接続されていてもよく、ＨＵＢ４３を介さずに無線親機４２とサーバ５０とが接続されていてもよい。
前記構成によっても、サーバ５０において複数のベッド１の背上げ角度αを一元管理することができる。
【００４８】
以上、本発明の一実施形態について説明したが、本発明は上記実施形態に限定されるものではなく、本発明の趣旨を逸脱しない限りにおいて種々の変更が可能である。
【符号の説明】
【００４９】
１  ベッド
３  メインフレーム
４  背上げフレーム
５  足側フレーム
７  ハンドル
８  金属フレーム
１０  ベッド背上げ角度表示装置
２０  計測手段
２１  ハウジング
２４  角度センサ
３０  表示手段
３１  ハウジング
３１ａ  蓋部
３１ｂ  本体部
３２  基盤
３２ｂ  ディスプレイ
３２ｃ  ＣＰＵ
３２ｄ  メモリ
３３  電池
３４  磁石
３５  無線モジュール
４０  ベッド背上げ角度監視システム
４１  通信ネットワーク
５０  サーバ
Ｔ  テーブル
α  背上げ角度
【図１】
2015136579.tif 000003
【図２】
2015136579.tif 000004
【図３】
2015136579.tif 000005
【図４】
2015136579.tif 000006
【図５】
2015136579.tif 000007
【図６】
2015136579.tif 000008
【図７】
2015136579.tif 000009
【図８】
2015136579.tif 000010
【図９】
2015136579.tif 000011
【図１０】
2015136579.tif 000012
【図１１】
2015136579.tif 000013
【図１２】
2015136579.tif 000014
【図１３】
2015136579.tif 000015
【図１４】
2015136579.tif 000016
【図１５】
2015136579.tif 000017